(57)【要約】【課題】原稿載置から原稿読み取りまでの時間を短縮することができる画像読み取り装置を提供する。【解決手段】プラテンガラスの縁に沿って移動位置決め自在な第１の可動点Ａ（指示部材）と、プラテンガラスの縁に沿って移動位置決め自在な第２の可動点Ｂ（指示部材）と、第１の可動点Ａと第２の可動点Ｂとを通る長さ一定の環状のベルト５と、ベルト５と検出固定点Ｏと連結されて伸縮可能な検出帯７と、ベルト５と検出帯７との連結部に位置して第１，第２の可動点Ａ，Ｂの移動と検出帯７により位置が決定される検出点Ｐと、検出帯７の長さＤとプラテンガラス３と検出帯７との間の角度θを検出することにより検出点Ｐを検出して第１の可動点Ａと第２の可動点Ｂの位置を検出する検出手段９とを有した。【選択図】図４
2009100277.tif 000002
【特許請求の範囲】
【請求項１】
プラテンガラスの縁に沿って移動位置決め自在な指示部材と、
前記指示部材の位置のみを検出自在な検出手段と、
を有することを特徴とする画像読み取り装置。
【請求項２】
プラテンガラスの縁に沿って移動位置決め自在な第１の指示部材と、
前記プラテンガラスの縁に沿って前記第１の指示部材とは別個に移動位置決め自在な第２の指示部材と、
前記第１，第２の指示部材の位置のみを検出自在な検出手段と、
を有することを特徴とする画像読み取り装置。
【請求項３】
プラテンガラスの縁に沿って移動位置決め自在な第１の可動点と、
前記プラテンガラスの縁に沿って移動位置決め自在な第２の可動点と、
前記第１の可動点と前記第２の可動点とを通る長さ一定の環状のベルトと、
該ベルトと検出固定点と連結されて伸縮可能な検出帯と、
前記ベルトと前記検出帯との連結部に位置して前記第１，第２の可動点の移動と前記検出帯により位置が決定される検出点と、
前記検出帯の長さと前記プラテンガラスと前記検出帯との間の角度を検出することにより前記検出点を検出して前記第１の可動点と前記第２の可動点の位置を検出する検出手段と、
を有することを特徴とする画像読み取り装置。
【請求項４】
プラテンガラスの縁に沿って両端が固定された環状の第１のベルト上を移動位置決め自在な第１の可動点と、
前記プラテンガラスの縁に沿って両端が固定された環状の第２のベルト上を移動位置決め自在な第２の可動点と、
前記第１，第２の可動点の位置を検出自在な検出手段と、
を有することを特徴とする画像読み取り装置。
【発明の詳細な説明】
【技術分野】
【０００１】
本発明は、画像読み取り装置に関する。
【背景技術】
【０００２】
特許文献１にガラス面の縁に設けられた縦と横のスケールにそれぞれマークを設けた２つのゲージがスケール内を移動できるように設けられた画像読取装置が記載されている。この画像読取装置では、ガラス面に載置された原稿に対してゲージが移動してゲージに設けられたマークの位置を検出した後、マークの検出位置の結果からコピー範囲サイズを算出する。この後、算出されたコピー範囲サイズで原稿を読み取り、画像をメモリに取り込む。
【特許文献１】特開平９−２２４１２０号公報
【発明の開示】
【発明が解決しようとする課題】
【０００３】
しかしながら、上記の画像読取装置では、載置された原稿に対して１回目のスキャンによってマーク位置を読み取って読取範囲を設定し、２回目のスキャンで原稿を読み取っているので、原稿を読み込むために少なくとも１回の読取範囲設定のスキャン時間が掛かってしまい、原稿載置から原稿読み取りまでに時間が掛かっていた。
【０００４】
そこで、この発明は、原稿載置から原稿読み取りまでの時間を短縮することができる画像読み取り装置の提供を目的としている。
【課題を解決するための手段】
【０００５】
請求項１の発明は、プラテンガラスの縁に沿って移動位置決め自在な指示部材と、前記指示部材の位置のみを検出自在な検出手段とを有する画像読み取り装置である。
【０００６】
請求項２の発明は、プラテンガラスの縁に沿って移動位置決め自在な第１の指示部材と、前記プラテンガラスの縁に沿って前記第１の指示部材とは別個に移動位置決め自在な第２の指示部材と、前記第１，第２の指示部材の位置のみを検出自在な検出手段とを有する画像読み取り装置である。
【０００７】
請求項３の発明は、プラテンガラスの縁に沿って移動位置決め自在な第１の可動点と、前記プラテンガラスの縁に沿って移動位置決め自在な第２の可動点と、前記第１の可動点と前記第２の可動点とを通る長さ一定の環状のベルトと、該ベルトと検出固定点と連結されて伸縮可能な検出帯と、前記ベルトと前記検出帯との連結部に位置して前記第１，第２の可動点の移動と前記検出帯により位置が決定される検出点と、前記検出帯の長さと前記プラテンガラスと前記検出帯との間の角度を検出することにより前記検出点を検出して前記第１の可動点と前記第２の可動点の位置を検出する検出手段とを有する画像読み取り装置である。
【０００８】
請求項４の発明は、プラテンガラスの縁に沿って両端が固定された環状の第１のベルト上を移動位置決め自在な第１の可動点と、前記プラテンガラスの縁に沿って両端が固定された環状の第２のベルト上を移動位置決め自在な第２の可動点と、前記第１，第２の可動点の位置を検出自在な検出手段とを有する画像読み取り装置である。
【発明の効果】
【０００９】
本発明によれば、原稿載置から原稿読み取りまでの時間を短縮することができる画像読み取り装置を提供することができるという効果を奏する。
【発明を実施するための最良の形態】
【００１０】
（第１実施形態）
図１〜図８を用いて第１実施形態について説明する。
【００１１】
本実施形態の画像読み取り装置１は、プラテンガラス３の縁に沿って移動位置決め自在な第１の可動点Ａ（指示部材）と、プラテンガラス３の縁に沿って移動位置決め自在な第２の可動点Ｂ（指示部材）と、第１の可動点Ａと第２の可動点Ｂとを通る長さ一定の環状のベルト５と、ベルト５と検出固定点Ｏと連結されて伸縮可能な検出帯７と、ベルト５と検出帯７との連結部に位置して第１，第２の可動点Ａ，Ｂの移動と検出帯７により位置が決定される検出点Ｐと、検出帯７の長さＤとプラテンガラス３と検出帯７との間の角度θを検出することにより検出点Ｐを検出して第１の可動点Ａと第２の可動点Ｂの位置を検出する検出手段９とを有している。
【００１２】
図１〜図８に示すように、プラテンガラス３は、原稿台１１に設けられ、一端部にヒンジ１３を介して圧板１５が設けられている。このプラテンガラス３の縦横の縁には、原稿サイズスケール１７，１９が設けられている。
【００１３】
原稿サイズスケール１７，１９には、定形サイズ名及び目盛などが表記されている。なお、この定形サイズ及び目盛はあらかじめプリントされたものでもよいし、電子的に表示してもよい。この原稿サイズスケール１７，１９には、それぞれ第１の可動点Ａと第２の可動点Ｂとが設けられている。
【００１４】
第１の可動点Ａと第２の可動点Ｂは、それぞれプラテンガラス３の縁に沿って同一の原稿サイズスケール１７，１９上に移動位置決め自在に配置され、互いに交差しないようにされている。この第１の可動点Ａと第２の可動点Ｂは、プラテンガラス３上に載置された原稿２１の読み取りたい部分の端部に移動され、第１の可動点Ａと第２の可動点Ｂとの間の距離から原稿の読み取りサイズを測定することができる。なお、図２に示すように、第１の可動点Ａを原稿サイズスケール１７，１９の０地点に固定させ、第２の可動点Ｂのみを移動させるなどのように、第１の可動点Ａと第２の可動点Ｂのどちらか一方を移動させずに固定点としてもよい。また、第１，第２の可動点Ａ，Ｂの操作手段は、図３に示すように、スライドバー、ダイヤル、タッチスクロールなどのように物理的な部品であってもよいし、電子的に表示してもよい。これらの第１の可動点Ａと第２の可動点Ｂは、長さ一定の環状のベルト５によって連結されている。
【００１５】
ベルト５は、長さ一定で環状に形成され、第１の可動点Ａと第２の可動点Ｂとを連結すると共に、検出固定点Ｏに連結された伸縮可能な検出帯７と連結されている。検出帯７とベルト５との連結部には、検出点Ｐが位置している。
【００１６】
検出点Ｐは、ベルト５の長さが一定であるため、第１，第２の可動点Ａ，Ｂの移動と検出帯７の検出固定点Ｏへの張力によってその位置が決定される。このため、検出点Ｐの位置を検出手段９によって検出することにより、第１の可動点Ａと第２の可動点Ｂの位置が決定される。なお、検出帯７の張力は、検出固定点Ｏを逆回転させるようなスプリングなどの付勢力を付与する部材を設けることで得ることができる。
【００１７】
検出手段９は、検出固定点Ｏに設けられた検出帯７の長さＤを検出する距離センサと、プラテンガラス３と検出帯７との間の角度θを検出する角度センサと、検出された長さＤと角度θから第１，第２の可動点Ａ，Ｂの位置を検出する算出手段などから構成されている。なお、距離センサとしてはリニアエンコーダなどを用い、角度センサとしてはロータリエンコーダやポテンショメータなどを用いればよい。算出手段による第１，第２の可動点Ａ，Ｂの位置検出について、以下に説明する。
【００１８】
検出点Ｐでは、検出点Ｐから第１の可動点ＡへのベクトルＦ１と、検出点Ｐから第２の可動点ＢへのベクトルＦ２と、検出点Ｐから検出固定点ＯへのベクトルＦとが働いている。また、この力の釣り合いとラミーの定理により、以下の式が成立する。なお、ベルト５の長さをＬとし、検出固定点Ｏからプラテンガラス３までの高さをＨとする。また、他の符号については、図５〜図８に示す。
【００１９】
F1cosθ1＝F2cosθ2    …(1)
F1sinθ1＋F2sinθ2＝Ｆ    …(2)
F／sin(180°−θ1−θ2)＝F1／sin(90°＋θ2)＝F2／sin(90°＋θ1)    …(3)
上記(1)〜(3)式からθ１とθ２を求めることができる。
【００２０】
α＋θ1＋(90°−θ)＋90°＝180°    …(4)
α＋β＋θ1＋θ2＝180°    …(5)
上記(4)，(5)式からαとβを求めることができる。
【００２１】
L1＋L2＋L3＝L    …(6)
L2sinα＋L3sinβ＝L1    …(7)
L2cosα＝L3cosβ  …(8)
上記(6)〜(8)式からＬ１，Ｌ２，Ｌ３を求めることができる。
【００２２】
そして、検出点Ｐが第１，第２の可動点Ａ，Ｂの移動によって決定されたときの検出点Ｐのｘｙ座標を（Dcosθ，Dsinθ）とすると、第１の可動点Ａのｘｙ座標は（Dcosθ−L2sinα，Ｈ）となり、第２の可動点Ｂのｘｙ座標は（Dcosθ−L2sinα＋L1，Ｈ）となる。
【００２３】
以上のように検出点Ｐを検出することにより、第１，第２の可動点Ａ，Ｂの位置を決定することができる。また、画像読み取り範囲の設定は、プラテンガラス３上に載置された原稿２１に対して第１，第２の可動点Ａ，Ｂを移動させた状態で完了しているので、検出された第１の可動点Ａと第２の可動点Ｂとの間をスキャナによって読み取らせればよい。
【００２４】
このような画像読み取り装置１では、第１，第２の可動点Ａ，Ｂの移動と検出帯７により位置が決定される検出点Ｐを検出し、第１，第２の可動点Ａ，Ｂの位置を検出しているので、第１，第２の可動点Ａ，Ｂを移動させたときに画像読み取り範囲の設定を終了することができる。これにより、原稿載置から原稿読み取りまでの画像読み取りに関するスキャナの作動を１回で済ますことができる。
【００２５】
従って、原稿載置から原稿読み取りまでの時間を短縮することができる。
【００２６】
（第２実施形態）
図９を用いて第２実施形態について説明する。
【００２７】
本実施形態の画像読み取り装置１０１は、プラテンガラス３の縁に沿って両端１０３，１０５が固定された環状の第１のベルト１０７上を移動位置決め自在な第１の可動点Ａ１（第１の指示部材）と、プラテンガラス３の縁に沿って両端１０９，１１１が固定された環状の第２のベルト１１３上を移動位置決め自在な第２の可動点Ｂ１（第２の指示部材）と、第１，第２の可動点Ａ１，Ｂ１の位置を検出自在な検出手段１１５とを有している。なお、第１実施形態と同一の構成には、同一の記号を記して説明を省略するが、第１実施形態と同一の構成であるので、得られる効果は同一である。
【００２８】
図９に示すように、原稿サイズスケール１７，１９には、それぞれ環状の第１のベルト１０７と環状の第２のベルト１１３とが設けられている。
【００２９】
第１，第２のベルト１０７，１１３は、それぞれの両端１０３，１０５及び１０９，１１１が原稿サイズスケール１７，１９の両端に固定されて環状に形成され、プラテンガラス３の縁に対して平行に配置されている。これらの第１，第２のベルト１０７，１１３には、それぞれ第１の可動点Ａ１と第２の可動点Ｂ１とが設けられている。
【００３０】
第１の可動点Ａ１は環状の第１のベルト１０７に移動位置決め自在に設けられ、第２の可動点Ｂ１は環状の第２のベルト１１３に移動位置決め自在に設けられている。この第１の可動点Ａ１と第２の可動点Ｂ１は、プラテンガラス３上に載置された原稿２１の読み取りたい部分の端部に移動され、第１の可動点Ａ１と第２の可動点Ｂ１との間の距離から原稿の読み取りサイズを測定することができる。なお、第１の可動点Ａ１と第２の可動点Ｂ１のどちらか一方を移動させずに固定点としてもよい。この場合、第１のベルト１０７又は第２のベルト１１３のどちらか一方を用いる必要がなく、部品点数を削減することができる。また、第１，第２の可動点Ａ１，Ｂ１の操作手段は、第１実施形態と同様の操作手段を用いることができる。これらの第１の可動点Ａ１と第２の可動点Ｂ１は、それぞれの位置が検出手段１１５によって検出される。
【００３１】
検出手段１１５は、第１，第２のベルト１０７，１１３のそれぞれの両端１０３，１０５及び１０９，１１１に設けられた距離センサとしてのリニアエンコーダで構成されている。この検出手段１１５により、第１，第２の可動点Ａ１，Ｂ１の位置を検出させ、検出された第１の可動点Ａ１と第２の可動点Ｂ１との間をスキャナによって読み取らせればよい。
【００３２】
このような画像読み取り装置１０１では、検出手段１１５が第１，第２の可動点Ａ１，Ｂ１の位置を検出するので、第１，第２の可動点Ａ１，Ｂ１を移動させたときに画像読み取り範囲の設定を終了することができる。これにより、原稿載置から原稿読み取りまでの画像読み取りに関するスキャナの作動を１回で済ますことができる。
【００３３】
従って、原稿載置から原稿読み取りまでの時間を短縮することができる。
【図面の簡単な説明】
【００３４】
【図１】（ａ）第１実施形態の画像読み取り装置の斜視図である。（ｂ）図１（ａ）の要部拡大図である。
【図２】第１実施形態の画像読み取り装置の斜視図である。
【図３】第１，第２の可動点の操作手段の例を示す図である。
【図４】第１実施形態の画像読み取り装置の要部拡大図である。
【図５】検出点における力の釣り合いを示す図である。
【図６】第１実施形態の第１，第２の可動点、検出点、検出固定点の分布図である。
【図７】第１実施形態の第１，第２の可動点、検出点、検出固定点の分布図である。
【図８】第１実施形態の第１，第２の可動点、検出点、検出固定点がｘ−ｙ平面上にあるとしたときの分布図である。
【図９】（ａ）第２実施形態の画像読み取り装置の要部拡大側面図である。（ｂ）第２実施形態の画像読み取り装置の要部拡大図である。
【符号の説明】
【００３５】
１，１０１…画像読み取り装置
３…プラテンガラス
Ａ，Ａ１…第１の可動点
Ｂ，Ｂ１…第２の可動点
５…ベルト
Ｏ…検出固定点
７…検出帯
Ｐ…検出点
Ｄ…検出帯の長さ
θ…プラテンガラスと検出帯との間の角度
９，１１５…検出手段
１０３，１０５，１０９，１１１…第１，第２のベルトの両端
１０７…第１のベルト
１１３…第２のベルト
【図１】
2009100277.tif 000003
【図２】
2009100277.tif 000004
【図３】
2009100277.tif 000005
【図４】
2009100277.tif 000006
【図５】
2009100277.tif 000007
【図６】
2009100277.tif 000008
【図７】
2009100277.tif 000009
【図８】
2009100277.tif 000010
【図９】
2009100277.tif 000011